(57)【要約】【課題】受取人へメッセージとともに希望の商品を選択するためのカタログを提供し、受取人の注文に応じて商品を提供するまでにサービス内容を拡大し、さらにメッセージの受取人以外の者が不正に商品を注文したことを発見できるようにしたメッセージ及び商品発送システムを提供する。【解決手段】メッセージ取扱業者が管理する第１コンピュータと、商品取扱業者が管理する第２コンピュータを備え、第１コンピュータと第２コンピュータは通信可能に接続されたものとし、受取人に発送される個々のメッセージ台紙に付与された識別情報を第１コンピュータから第２コンピュータに送信するようにしている。【選択図】図１
2012022435.tif 000002
【特許請求の範囲】
【請求項１】
メッセージ取扱業者が贈り主の依頼に応じてカタログを添付したメッセージ台紙を受取人に発送し、商品取扱業者が受取人からの注文に応じて商品を受取人に発送するようにしたメッセージ及び商品発送システムであって、
メッセージ取扱業者が管理する第１コンピュータと、商品取扱業者が管理する第２コンピュータを備え、第１コンピュータと第２コンピュータは通信可能に接続されたものとし、
受取人に発送される個々のメッセージ台紙に付与された識別情報を第１コンピュータから第２コンピュータに送信するようにしたことを特徴とするメッセージ及び商品発送システム。
【発明の詳細な説明】
【技術分野】
【０００１】
この発明は、電報又はそれに類するサービスを利用したメッセージ及び商品発送システムに関するものである。
【背景技術】
【０００２】
電報又はそれに類するサービスを利用したものとしては、特許文献１記載のメッセージカード配信システムがある。このシステムは、メッセージの差出人の氏名／名称と、受取人の氏名／名称と、差出人が受取人に伝えたい祝辞や弔意などのメッセージと共に、差出人を個性化する画像情報を配信業者に伝達し、前記メッセージ内容が配信業者からコンピュータネットワークを介して催し会場側へと配信され、前記催し会場側で前記メッセージ内容をメッセージカードに印刷し、前記メッセージカードを受取人へと提供する、というものである。
【０００３】
このシステムは、画像情報をも印刷したメッセージカードを受取人に提供できるものであるが、受取人へのメッセージの提供にとどまっており、さらに受取人へメッセージとともに希望の商品を選択するためのカタログを提供し、受取人の注文に応じて商品を提供するまでにサービス内容を拡大するには至っていなかった。
【０００４】
一方、受取人へ商品を提供するとなると、メッセージの受取人以外の者が不正に商品を注文して受け取るおそれがある。
【先行技術文献】
【特許文献】
【０００５】
【特許文献１】特開２００６−１１５１９号公報
【発明の概要】
【発明が解決しようとする課題】
【０００６】
そこで、この発明は、受取人へメッセージとともに希望の商品を選択するためのカタログを提供し、受取人の注文に応じて商品を提供するまでにサービス内容を拡大し、さらにメッセージの受取人以外の者が不正に商品を注文したことを発見できるようにしたメッセージ及び商品発送システムを提供することを課題とする。
【課題を解決するための手段】
【０００７】
前記課題を解決するため、この発明は次のような技術的手段を講じている。
【０００８】
本願のメッセージ及び商品発送システムは、メッセージ取扱業者が贈り主の依頼に応じてカタログを添付したメッセージ台紙を受取人に発送し、商品取扱業者が受取人からの注文に応じて商品を受取人に発送するようにしたもので、メッセージ取扱業者が管理する第１コンピュータと、商品取扱業者が管理する第２コンピュータを備え、第１コンピュータと第２コンピュータは通信可能に接続されたものとし、受取人に発送される個々のメッセージ台紙に付与された識別情報を第１コンピュータから第２コンピュータに送信するようにしている。
【発明の効果】
【０００９】
この発明のメッセージ及び商品発送システムは、上述のような構成を有しており、受取人へメッセージとともに希望の商品を選択するためのカタログを提供し、受取人の注文に応じて商品を提供するまでにサービス内容を拡大し、さらに、個々のメッセージ台紙に付与された識別情報を第１コンピュータから第２コンピュータに送信することによって、メッセージの受取人以外の者が不正に商品を注文したことを発見できるようになっている。
【図面の簡単な説明】
【００１０】
【図１】システムの概略図である。
【図２】メッセージ台紙の展開状態の内側の斜視図である。
【図３】カタログ及び注文用紙の斜視図である。
【発明を実施するための形態】
【００１１】
以下、この発明の好適な実施形態を、図面を参照して説明する。
【００１２】
このメッセージ及び商品発送システムは、メッセージ取扱業者が贈り主の依頼に応じてカタログ２を添付したメッセージ台紙１を受取人に発送し、商品取扱業者が受取人からの注文に応じて商品を受取人に発送するようにしたもので、メッセージ取扱業者が管理する第１コンピュータと、商品取扱業者が管理する第２コンピュータを備え、第１コンピュータと第２コンピュータは通信可能に接続されたものとし、受取人に発送される個々のメッセージ台紙１に付与された識別情報を第１コンピュータから第２コンピュータに送信するようにしたものとしている。
【００１３】
第１コンピュータと第２コンピュータは、インターネット等のネットワークを介して接続されたものとしている。各コンピュータは物理的に１台のコンピュータでも、複数台のコンピュータで構成されるものであってもよい。
【００１４】
メッセージ取扱業者は、贈り主の依頼に応じてメッセージ台紙１を受取人に発送する、電報サービス（又はそれに類するもの）を提供する者である。贈り主の依頼は、ウェブサイトにおいて受け付けることができる。ウェブサイトでは、贈り主が祝電や弔電等、メッセージ用紙３に記載する内容の選択・入力、受取人の住所の入力、メッセージ台紙１の選択、カタログ２の選択等を行う。ウェブサイトは、メッセージ取扱業者が管理する第１コンピュータ又は他のコンピュータによって運営することができる。
【００１５】
メッセージ取扱業者は、ウェブサイトで受け付けた贈り主の依頼情報に基づき、メッセージ用紙３を作成して選択されたカタログ２とともにメッセージ台紙１に添付し、発送する。メッセージ台紙１の発送作業に関する情報、すなわち受取人の名前、住所、メッセージ台紙１の内容（メッセージの内容、カタログの種別等）及び識別情報は、第１コンピュータに入力されて管理される。
【００１６】
メッセージ台紙１は、配達業者（メッセージ取扱業者自身でもよい）によって受取人に配達される。そして、第１コンピュータから、商品取扱業者が管理する第２コンピュータへ、個々のメッセージ台紙１ごとに付された後述の識別情報が送信される。識別情報の送信は、メッセージ取扱業者の操作により、又は自動的に、個々のメッセージ台紙１の発送作業完了と同時に行われるようにするとよいが、月１回、週１回等、複数のメッセージ台紙１の識別情報をまとめて送信してもよい。
【００１７】
メッセージ台紙１は、図２に示したように、２つ折り状にして使用するもので、閉じたときに内側になる２面の一方の面にメッセージを記載したメッセージ用紙３を収容するポケットないし差込部を有し、他方の面にカタログ２を収容するポケットないし差込部を有している。
【００１８】
カタログ２は、受取人が注文可能な商品の紹介と、注文方法等が記載されたもので、折り畳まれた状態でカタログ２に収容される。また、カタログ２には注文用紙４が添付されている。注文用紙４は一部が切り取り式のハガキになっており、メッセージ台紙１を受け取った受取人は、これを郵便やＦＡＸ等で商品取扱業者に送付することにより、商品の注文を行うことができる。
【００１９】
また、カタログ２又は注文用紙４には、商品取扱業者のウェブサイトのＵＲＬが記載されており、当該ウェブサイトにおいて希望の商品を注文することもできる。ウェブサイトは、商品取扱業者が管理する第２コンピュータ又は他のコンピュータによって運営することができる。
【００２０】
注文用紙４には、複数の数字や文字、バーコード等の形式の識別情報が付されている。注文用紙４が郵便やＦＡＸで商品取扱業者に送付される場合は、商品取扱業者によって識別情報が読み取られる。ウェブサイトでの注文の場合は、受取人のパーソナルコンピュータ等の情報機器に識別情報を入力し、注文内容とともに商品取扱業者の管理するコンピュータに送信されるようにするとよい。
【００２１】
受取人からの注文を受けた商品取扱業者は、注文された商品を受取人に発送する。商品取扱業者には、受取人でない者からの不正な注文が届く可能性があるが、商品取扱業者は、注文用紙４又は前記ウェブサイトを通じて得た識別情報と一致するものが、第２コンピュータで第１コンピュータから受信した識別情報の中に含まれているか確認することにより、不正な注文があったか否かを把握することができる。
【００２２】
不正な注文があったことを発見した場合には、贈り主や受取人への確認、サービスの停止等によって、被害の拡大を防止することができる。
【００２３】
以上がこの発明の実施形態であるが、この発明は、前述の実施形態に限定されるものではなく、適宜変更して実施することができる。
【符号の説明】
【００２４】
１  メッセージ台紙
２  カタログ
３  メッセージ用紙
４  注文用紙
【図１】
2012022435.tif 000003
【図２】
2012022435.tif 000004
【図３】
2012022435.tif 000005